(57)【要約】      （修正有）【課題】配布作業を複数回に分けて行う場合において、第三者に配布する前の印刷物を見られてしまうことを防止することができる画像形成装置、プログラムを格納したコンピュータ読取可能な記録媒体及び画像形成システムを提供する。【解決手段】分割ジョブ設定部で設定された分割ジョブで印刷出力される印刷部数の上限値である印刷上限値を設定する印刷上限値設定部と、印刷上限値設定部で設定された印刷上限値に基づいて、１ジョブを分割する分割ジョブの分割数を決定する分割数決定部２１と、分割ジョブで印刷出力する印刷部数を決定する出力印刷部数決定部２４、を有している。【選択図】図３
2018039236.tif 000002
【特許請求の範囲】
【請求項１】
印刷条件の設定を行う印刷設定部と、
前記印刷設定部で設定された印刷対象物の総印刷部数を１ジョブとして、前記印刷対象物の画像を形成し順次印刷出力を行う画像形成部と、
前記１ジョブを複数の分割ジョブに分割して、前記分割ジョブ毎に印刷出力を行うか否かを設定する分割ジョブ設定部と、
前記分割ジョブ設定部で設定された分割ジョブで印刷出力される印刷部数の上限値である印刷上限値を設定する印刷上限値設定部と、
前記印刷上限値設定部で設定された印刷上限値に基づいて、前記１ジョブを分割する分割ジョブの分割数を決定する分割数決定部と、
前記分割ジョブで印刷出力する印刷部数を決定する出力印刷部数決定部と、
を備えた画像形成装置。
【請求項２】
前記分割数決定部は、前記印刷設定部により設定された印刷対象物の総印刷部数を前記印刷上限値設定部で設定された印刷上限値で割ることで商と余りを算出し、この算出した商の値を前記分割数とし、前記余りが算出された場合に、前記分割数に１を加算する
請求項１に記載の画像形成装置。
【請求項３】
前記印刷設定部で設定された印刷条件に基づいて、前記１ジョブの印刷出力の順番を入れ替える出力印刷順変更部と、を備えた
請求項１に記載の画像形成装置。
【請求項４】
前記出力印刷部数決定部で決定された前記分割ジョブで印刷出力する印刷部数を変更する出力印刷部数変更部と、を備えた
請求項１に記載の画像形成装置。
【請求項５】
前記出力印刷部数変更部は、前記分割数決定部が前記印刷設定部により設定された印刷対象物の総印刷部数を前記印刷上限値設定部で設定された印刷上限値で割ることで算出した余りに基づいて、前記出力印刷部数決定部が決定した分割ジョブで印刷出力する印刷部数を変更する
請求項４に記載の画像形成装置。
【請求項６】
前記印刷上限値は、印刷出力した印刷物を配布先へ配布する配布者の能力に基づいて設定される
請求項１に記載の画像形成装置。
【請求項７】
前記印刷上限値は、印刷出力した印刷物の状態に基づいて設定される
請求項１に記載の画像形成装置。
【請求項８】
印刷出力した印刷物を配布先へ配布する配布者が、前記印刷上限値設定部で設定された印刷上限値の値を変更できる
請求項１に記載の画像形成装置。
【請求項９】
前記１ジョブの中に、同一の配布先に配布される同じ内容の印刷対象物が複数含まれている場合に、
前記出力印刷順変更部は、前記同じ内容の複数の印刷対象物が同一の分割ジョブ内で印刷出力されるように前記１ジョブの印刷出力の順番を入れ替える
請求項３に記載の画像形成装置。
【請求項１０】
前記１ジョブの中に、同一の配布先に配布する異なる内容の印刷対象物が含まれている場合に、
前記出力印刷順変更部は、前記異なる内容の印刷対象物が同一の分割ジョブ内で印刷出力されるように前記１ジョブの印刷出力の順番を入れ替える
請求項３に記載の画像形成装置。
【請求項１１】
印刷条件の設定を行う印刷設定部と、
前記印刷設定部で設定された印刷対象物の総印刷部数を１ジョブとして、前記印刷対象物の画像を形成し順次印刷出力を行う画像形成部と、
前記１ジョブを複数の分割ジョブに分割して、前記分割ジョブ毎に印刷出力を行うか否かを設定する分割ジョブ設定部と、
前記分割ジョブ設定部で設定された分割ジョブで印刷出力される印刷部数の上限値である印刷上限値を設定する印刷上限値設定部と、を備えた画像形成装置に備えられたコンピュータに、
前記印刷上限値設定部で設定された印刷上限値に基づいて、前記１ジョブを分割する分割ジョブの分割数を決定するステップと、
前記分割ジョブで印刷出力する印刷部数を決定するステップと、を実行させるためのコンピュータプログラムを格納した
プログラムを格納したコンピュータ読取可能な記録媒体。
【請求項１２】
印刷条件の設定を行う印刷設定部で設定された印刷対象物の総印刷部数を１ジョブとして、順次印刷出力を行う画像形成システムであって、
前記１ジョブを複数の分割ジョブに分割して、前記分割ジョブ毎に印刷出力を行うか否かを設定する分割ジョブ設定部と、
前記分割ジョブ設定部で設定された分割ジョブで印刷出力される印刷部数の上限値である印刷上限値を設定する印刷上限値設定部と、
前記印刷上限値設定部で設定された印刷上限値に基づいて、前記１ジョブを分割する分割ジョブの分割数を決定する分割数決定部と、
前記分割ジョブで印刷出力する印刷部数を決定する出力印刷部数決定部と、
を備えた画像形成システム。
【発明の詳細な説明】
【技術分野】
【０００１】
本発明は、画像形成装置、プログラムを格納したコンピュータ読取可能な記録媒体及び画像形成システムに関する。
【背景技術】
【０００２】
従来、画像形成装置等を用いて、予め必要な部数の印刷物を印刷出力し、印刷物を配布先へ配布する配布作業が行われている（例えば、特許文献１）。
【０００３】
一般に、配布者は、複数の印刷物を持って配布先を巡回し、順次印刷物を配布する。また、配布する印刷物の重量が重い場合や配布先の数が多い場合には、配布作業を複数回に分けることで、配布者が１回の配布作業で持ち運ぶ印刷物の重量や巡回する配布先の数を制限して、配布者の負担を減らすことが行われている。
【先行技術文献】
【特許文献】
【０００４】
【特許文献１】特開２０１３−９２９９９号公報
【発明の概要】
【発明が解決しようとする課題】
【０００５】
しかしながら、配布作業を複数回に分けた場合には、配布待ちの印刷物を例えば机の上やフィニッシャーのトレイ上等で一時的に保管する必要が生じる。このため、一時保管中の印刷物が第三者に見られてしまう可能性があり、さらには、第三者に印刷物を持ち出されてしまうといったセキュリティ上の問題が起こり得る。
【０００６】
本発明は、上記の問題点を考慮し、印刷物の配布作業を複数回に分けて行う場合であっても、第三者に配布する前の印刷物を見られてしまうことを防止することを目的とする。
【課題を解決するための手段】
【０００７】
上記課題を解決し、本発明の目的を達成するため、本発明の画像形成装置は、印刷条件の設定を行う印刷設定部と、印刷設定部で設定された印刷対象物の総印刷部数を１ジョブとして、前記印刷対象物の画像を形成し順次印刷出力を行う画像形成部と、１ジョブを複数の分割ジョブに分割して、前記分割ジョブ毎に印刷出力を行うか否かを設定する分割ジョブ設定部と、分割ジョブ設定部で設定された分割ジョブで印刷出力される印刷部数の上限値である印刷上限値を設定する印刷上限値設定部と、印刷上限値設定部で設定された印刷上限値に基づいて、１ジョブを分割する分割ジョブの分割数を決定する分割数決定部と、分割ジョブで印刷出力する印刷部数を決定する出力印刷部数決定部と、を有している。
【０００８】
なお、上記画像形成装置は本発明の一態様であり、本発明の一側面を反映したプログラムを格納したコンピュータ読取可能な記録媒体、画像形成システムについても、本発明の一側面を反映した画像形成装置と同様の構成を有する。
【発明の効果】
【０００９】
本発明によれば、印刷ジョブの配布モードを切り換えることにより、印刷物の配布作業の利便性を図り、印刷物の配布作業を複数回に分けて行う場合において、第三者に配布する前の印刷物を見られてしまうことを防止できる。
【図面の簡単な説明】
【００１０】
【図１】本発明の実施の形態による画像形成システムの構成図である。
【図２】本発明の実施の形態による画像形成装置のハードウェア構成例を示す概要図である。
【図３】本発明の実施の形態による画像形成装置の機能的構成のブロック図である。
【図４】本発明の実施の形態による画像形成システムの処理例を示すフローチャートである。
【図５】本発明の実施の形態による画像形成システムの第１の処理例を説明する説明図である。
【図６】本発明の実施の形態による画像形成システムの第２の処理例を説明する説明図である。
【図７】本発明の実施の形態による画像形成システムの第３の処理例を説明する説明図である。
【図８】本発明の実施の形態による画像形成システムの第４の処理例を説明する説明図である。
【図９】本発明の実施の形態による画像形成システムの第５の処理例を説明する説明図である。
【図１０】本発明の実施の形態による画像形成システムの第６の処理例を説明する説明図である。
【図１１】本発明の実施の形態による画像形成システムの第７の処理例を説明する説明図である。
【発明を実施するための形態】
【００１１】
以下、本発明の画像形成システムの実施の形態例（以下、「本例」という。）について、図面を参照して説明する。なお、本明細書及び図面において、実質的に同一の機能又は構成を有する構成要素については、同一の符号を付することにより重複する説明を省略する。
【００１２】
図１は、本例の画像形成システム１の構成を示す概略図である。
図１に示すように、本例の画像形成システム１は、デジタル複合機（ＭＦＰ：Multi Function Printer）からなる画像形成装置５０と、ＰＣ（Personal Computer）からなる端末装置６０とを有し、画像形成装置５０と端末装置６０とは有線又は有線からなるＬＡＮ(Local Area Network)等のネットワークＮを介して通信可能に接続されている。
【００１３】
デジタル複合機は、印刷機能、コピー機能、スキャナ機能、ファクシミリ機能、メール送信機能、等、複数の機能を集約的に併せ持つ画像形成装置である。ただし、本例の画像形成装置５０は、ネットワークＮを介して端末装置６０から送られるジョブデータを受信し、当該ジョブデータに基づいて、印刷出力処理を実行可能な画像形成装置であれば足りる。また、本例の端末装置６０は、ＰＣといった、汎用性を有する情報処理装置である必要はなく、画像形成装置５０に対して、ドキュメントの印刷出力を指示することができる装置であればよい。
【００１４】
＜画像形成装置のハードウェア構成例＞
図２は、画像形成装置５０のハードウェア構成例を示す概要図である。
【００１５】
画像形成装置５０は、静電気を用いて画像の形成を行う電子写真方式を採用しており、例えばイエロー（Ｙ）、マゼンタ（Ｍ）、シアン（Ｃ）、ブラック（Ｋ）の４色のトナー画像を重ね合わせるタンデム形式のカラー画像形成装置である。この画像形成装置５０は、自動原稿給送装置（ＡＤＦ）２と、操作部３と、給紙装置５と、画像形成部１０と、中間転写ベルト１１（像担持体）と、２次転写部１２と、定着部１３とを有する。
【００１６】
自動原稿給送装置２は、原稿の読み取りに際して、原稿を自動給送する。そして、自動原稿給送装置２に設けられた不図示のスキャナは、画像形成装置５０の上部プラテンガラスに置かれた原稿や、自動原稿給送装置２で自動搬送される原稿の画像を読み取ることができる。
【００１７】
操作部３は、画像形成処理等のジョブの開始を指示する機能を備えている。操作部３には、ＬＣＤ（Liquid Crystal Display）４が設置されている。ＬＣＤ４はタッチパネルで構成されており、ユーザによる操作および情報の表示が可能になっている。ＬＣＤ４は、操作部と表示部を兼用している。なお、操作部をマウスやタブレットなどで構成し、表示部とは別体で構成することも可能である。
【００１８】
給紙装置５は、用紙のサイズや種類に応じて複数の用紙収納部５ａを備える。給紙装置５では、画像形成装置１からの指示に基づいて該当する用紙収納部５ａが選択されると、不図示の給紙部により用紙収納部５ａから用紙Ｓが取り出され、搬送路Ｃに用紙Ｓが送られる。
【００１９】
画像形成部１０は、イエロー、マゼンタ、シアン、ブラックの各色のトナー画像を形成するために、４つの画像形成ユニット６Ｙ，６Ｍ，６Ｃ，６Ｋを備えている。画像形成部１０は、画像形成部１０の画像形成ユニット６Ｙ，６Ｍ，６Ｃ，６Ｋの動作を制御して、Ｙ，Ｍ，Ｃ，Ｋのトナー画像を形成する。また、画像形成装置５０は、搬送路Ｃに用紙Ｓを搬送するための複数のローラ（搬送ローラ）を備えている。
【００２０】
画像形成装置５０は、画像形成モードにおいて、画像形成ユニット６Ｙ，６Ｍ，６Ｃ，６Ｋが有する感光体を帯電させると共に、電荷を消去して露光し、感光体に静電潜像を形成する。そして、イエロー、マゼンタ、シアン、ブラックの感光体の静電潜像に対し現像部を用いてトナーを付着させ、各色のトナー画像を形成する。次に、イエロー、マゼンタ、シアン、ブラックの感光体に形成されたトナー画像を、矢印方向へ回転する中間転写ベルト１１の表面に順次、１次転写する。
【００２１】
次に、２次転写部１２（２次転写ローラ）により、中間転写ベルト１１上に１次転写された各色のトナー画像を、給紙装置５から供給されてローラにより搬送される用紙Ｓに２次転写する。中間転写ベルト１１上の各色のトナー画像が用紙Ｓに２次転写されることにより、カラー画像が形成される。画像形成装置５０は、カラーのトナー画像が形成された用紙Ｓを、定着部１３へ搬送する。
【００２２】
定着部１３は、カラーのトナー画像が形成された用紙Ｓに定着処理を行う装置である。定着部１３は、搬送された用紙Ｓを加圧及び加熱して、転写されたトナー画像を用紙Ｓに定着させる。定着部１３は、例えば、定着部材である定着上ローラ及び定着下ローラで構成されている。定着上ローラ及び定着下ローラは、互いに圧接した状態で配置されており、定着上ローラと定着下ローラとの圧接部として定着ニップ部が形成される。
【００２３】
定着上ローラの内部には、不図示の加熱部が設けられている。この加熱部からの輻射熱により定着上ローラの外周部にあるローラ部が温められる。用紙Ｓは、２次転写部１２によりトナー画像が転写された面（定着対象面）が定着上ローラと向き合うように定着ニップ部に搬送される。定着ニップ部を通過する用紙Ｓには、定着上ローラと定着下ローラとによる加圧と、定着上ローラのローラ部の熱による加熱が行われる。定着部１３により定着処理が行われた用紙Ｓは、排紙トレイ１４に排出される。ユーザである配布者は、排紙トレイ１４に排出された印刷物を所定の配布先へ配布する。
【００２４】
また、定着処理が行われた用紙Ｓは、後処理装置ＦＮに排出してもよい。後処理装置ＦＮは、例えば、紙折り装置、断裁装置、ステープル装置及び製本装置を備えており、必要に応じて製本処理を行った後、印刷物を排紙トレイ１４に排出する。
【００２５】
なお、本例では、カラー画像を形成する画像形成装置５０を例示したが、モノクロ画像を形成する画像形成装置を用いてもよい。
【００２６】
＜画像形成装置本体の概略構成例＞
次に、画像形成装置本体５１の概略構成例を説明する。
図３は、画像形成装置本体５１の概略構成を示すブロック図である。
【００２７】
画像形成装置本体５１は、コピー機能、スキャン機能、印刷機能等を備えた、いわゆる複合機（ＭＦＰ：Multi Function Printer）である。コピー機能とは、原稿を光学的に読み取ってその複製画像を用紙に印刷する機能である。スキャン機能とは、読み取った原稿の画像データをファイルにして保存したり、ネットワークＮを通じて画像データを端末装置６０に送信したりする機能である。印刷機能とは、ネットワークＮ等を通じて外部から受信した印刷ジョブに基づいて用紙に文書や画像を印刷して出力する機能である。
【００２８】
画像形成装置本体５１は、端末装置６０で設定された印刷ジョブを記憶する。
印刷ジョブには、印刷ジョブの印刷出力を連続して行うか分割して行うかを設定した配布モードデータ、印刷ジョブで印刷出力する印刷物の総数を設定した総印刷部数データ、印刷する印刷対象物を設定した印刷対象物データ、分割ジョブで印刷出力する印刷物の数を設定した印刷上限値データ、印刷した印刷物を配布する配布先を設定した配布先データ、印刷物を配布する配布者を設定した配布者データ等が含まれている。
【００２９】
すなわち、端末装置６０は、印刷条件の設定を行う印刷設定部であり、印刷ジョブを複数の分割ジョブに分割して印刷出力を行うか否かを設定する分割ジョブ設定部と、分割ジョブで印刷出力される印刷部数の上限値である印刷上限値を設定する印刷上限値設定部の機能を有する。なお、画像形成装置５０に、印刷設定部、分割ジョブ設定部、印刷上限値設定部の機能を持たせるようにしてもよい。
【００３０】
画像形成装置本体５１は、画像形成装置本体５１の動作を統括的に制御する制御部１５を備える。制御部１５は、ＣＰＵ（Central Processing Unit）によって各種の処理を実行する。制御部１５には、バスを介してＲＯＭ（Read Only Memory）３０、ＲＡＭ（Random Access Memory）３１、不揮発メモリ３２、ハードディスク装置３３、ネットワークコントローラ３４、操作パネル６、印刷インタフェース４３、読み取りインタフェース４４等が接続されている。印刷インタフェース４３には、画像形成部１０が接続されている。読み取りインタフェース４４には、スキャナ４５が接続されている。
【００３１】
制御部１５は、ＯＳ（Operating System）プログラムをベースとし、その上で、ミドルウェアやアプリケーションプログラム等のプログラムを実行する。制御部１５によって実行される各部の処理は後述する。
【００３２】
ＲＯＭ３０には各種のプログラムが格納されており、これらのプログラムに従って制御部１５が処理を実行することで画像形成装置本体５１の各機能が実現される。また、ＲＯＭ３０には、配布者が、画像形成装置５０にログインするためのユーザＩＤ、パスワード等が格納される。また、画像形成装置５０にログインしたユーザに応じて、自動的に配布モードを後述する分割モードに変更するようにしてもよい。
【００３３】
ＲＡＭ３１は制御部１５がプログラムを実行する際に各種のデータを一時的に格納するワークメモリとして使用される。また、ＲＡＭ３１には、ジョブ取得部１６が取得した印刷ジョブが一時的に格納されるジョブデータ一時保存部としての機能を持たせてもよい。
不揮発メモリ３２には各種の設定が保存される。
【００３４】
ハードディスク装置３３には、ネットワークコントローラ３４が受信した印刷ジョブ等が保存される。また、ハードディスク装置３３は、画像形成装置５０によって実行されるプログラムを格納したコンピュータ読取可能な非一過性の記録媒体の一例として用いられる。なお、画像形成装置５０によって実行されるプログラムを格納したコンピュータ読取可能な非一過性の記録媒体としては、ハードディスク装置３３に限定されず、例えば、ＣＤ−ＲＯＭ、ＤＶＤ−ＲＯＭ等の記録媒体であってもよい。
【００３５】
ネットワークコントローラ３４は、ジョブ取得部１６の制御により、ネットワークＮを通じて、端末装置６０から印刷ジョブを受信する。
【００３６】
操作部３は、操作入力部４１と表示部４２を備える。
操作入力部４１は、スタートボタン等の各種操作スイッチ、表示部４２の表示面上に設けられたタッチパネル等で構成されている。タッチパネルは、タッチペンや指等で押下された座標位置を検出する。また、フリック操作、ドラッグ操作、スクロールバーに対する操作等を検出する。
表示部４２は、液晶ディスプレイ（ＬＣＤ）等で構成され、各種の操作画面、設定画面等を表示する機能を果たす。
なお、操作入力部４１をマウスやタブレット等で構成し、表示部４２とは別体で構成することも可能である。
【００３７】
印刷インタフェース４３には、画像形成部１０が接続される。
画像形成部１０は、画像形成制御部２２の制御により、ジョブ取得部１６が取得した印刷ジョブに基づいて画像を用紙に形成する画像形成処理を行う。
【００３８】
読み取りインタフェース４４には、原稿を光学的に読み取って画像データを取得する機能を果たすスキャナ４５が接続されている。スキャナ４５は、例えば、ラインイメージセンサと、移動ユニットと、光学経路と、変換部等を備えて構成される。ラインイメージセンサは、原稿に光を照射する光源と、その反射光を受けて原稿を幅方向に１ライン分読み取る。移動ユニットは、ライン単位の読取位置を原稿の長さ方向に順次移動させる。光学経路は、原稿からの反射光をラインイメージセンサに導いて結像させるレンズやミラー等からなる。変換部は、ラインイメージセンサの出力するアナログ画像信号をデジタルの画像データに変換する。
【００３９】
ここで、制御部１５が備える各部の構成例について説明する。
【００４０】
ジョブ取得部１６は、ネットワークコントローラ３４を制御して、端末装置６０から送信された印刷ジョブを、ネットワークコントローラ３４を通じて取得する。
【００４１】
ジョブ実行部１７は、ジョブ取得部１６が取得した印刷ジョブに基づき、印刷インタフェース４３を通じて、画像形成部１０を起動し、画像形成部１０に画像形成を行わせ、印刷ジョブの印刷出力を行うための制御を行う。また、ジョブ実行部１７は、ログイン処理部１９によって認証された配布者等の印刷ジョブに基づく画像形成処理を画像形成部１０に開始させる制御を行う。
【００４２】
ジョブデータ一時保存部１８は、ジョブ取得部１６が取得した印刷ジョブの配布モードが分割モードに設定されている場合に、印刷ジョブの印刷出力が全て終了するまで、印刷ジョブのデータを一時的に保持する。
【００４３】
配布モード判別部２０は、ジョブ取得部１６が取得した印刷ジョブに設定される配布モードの種別を判別する。配布モードの種別には、印刷出力を連続して行う通常の印刷時に設定される普通モードと、例えば、印刷物の配布先が多い場合や、製本処理等が行われて印刷物の重量が重くなるような場合に設定され、印刷出力を分割して行う分割モードがある。配布モード判別部２０が配布モードを分割モードと判別した場合には、ジョブ実行部１７に指示を送り、ジョブデータ一時保存部１８に保存されている印刷ジョブの印刷出力を分割ジョブ毎に実行する。１の分割ジョブの印刷出力を終了した後、ジョブ実行部１７は、後述する中断解除指示を受けるまで他の分割ジョブの印刷出力を中断する。配布モード判別部２０が判別モードを通常モードと判別した場合には、ジョブ実行部１７に指示を送り、ジョブ取得部１６が取得した印刷ジョブの印刷出力を実行する。
【００４４】
分割数決定部２１は、ジョブデータ一時保存部１８に保持されている印刷ジョブを複数の分割ジョブに分割する際の分割ジョブの数（分割数）を決定する。分割数は、ジョブ取得部１６が取得した印刷ジョブに設定されている総印刷部数データ及び印刷上限値データに基づいて決定される。分割数決定部２１は、印刷設定部により設定された総印刷部数の値を印刷上限値設定部で設定された印刷上限値で割ることにより商と余りを算出し、この算出した商の値を分割数とする。また、余りが算出された場合には、商の値から算出した分割数に１を加算したものを分割数として決定する。
【００４５】
画像形成制御部２２は、ジョブ取得部１６が取得した印刷ジョブに基づき、印刷インタフェース４３を通じて、画像形成部１０を起動し、画像形成部１０に画像形成を行わせるための制御を行う。
【００４６】
後処理制御部２３は、印刷ジョブに設定されている後処理に基づいて、後処理装置ＦＮを起動し、印刷物に対する所定の後処理を後処理装置ＦＮに行わせる。製本処理等の後処理が施された印刷物は、配布者によって所定の配布先に配布される。
【００４７】
出力印刷部数決定部２４は、分割数決定部２１で決定された各分割ジョブで印刷出力する印刷部数を決定する。分割ジョブで印刷出力する印刷部数は、基本的には印刷ジョブに設定されている印刷上限値と同じであるが、印刷ジョブに設定されている印刷対象物データ、配布先データにより変更される場合がある。また、配布者が、自身の配布能力に応じて、印刷上限値を変更する場合もある。なお、配布者は、情報端末６０または操作部３を介して、印刷上限値を変更する。例えば、配布者が１回の配布作業において、もっと多くの印刷物を配布できると判断した場合には印刷上限値が大きくなるように変更し、配布する印刷物を少なくしたいと判断した場合には、印刷上限値が小さくなるように変更することができる。
【００４８】
印刷部数比較部２５は、ジョブデータ一時保存部１８で保存されている印刷ジョブの総印刷部数データと、印刷上限値データとの比較を行う。ジョブデータ一時保存部１８で保持されている総印刷部数データが印刷上限値データよりも大きい場合は、ジョブ実行部１７に指示を送り、印刷上限値分の印刷部数の印刷を実行させる。総印刷部数データが印刷上限値データよりも小さい場合には、ジョブ実行部１７に指示を送り、ジョブデータ一時保存部１８で保持されている総印刷部数データ分の印刷を実行させる。また、総印刷部数データと印刷上限値データとを比較する場合において、出力印刷部数決定部２４により決定された分割ジョブで印刷出力する印刷部数と印刷上限値設定部で設定された印刷上限値とが異なる場合には、出力印刷部数決定部２４で決定された印刷部数を優先させて印刷を実行する。
【００４９】
総印刷部数減算処理部２６は、ジョブデータ一時保存部１８で保存されている印刷ジョブの総印刷部数データの減算処理を行う。総印刷部数減算処理部２６は、１の分割ジョブの印刷部数の印刷出力が終了した後、ジョブデータ一時保存部１８に保持されている総印刷部数データから印刷出力が終了した分割ジョブの印刷部数データを減算し、減算された総印刷部数データを新たな印刷ジョブの総印刷部数データ（残数データ）として書き替える。
【００５０】
中断解除指令検出部２７は、中断された印刷ジョブの印刷出力を再開するための解除指令を検出する。解除指令の検出は、例えば、配布作業を終えた配布者が操作部３に入力した中断解除指令を検出することにより行われる。また、ログイン処理部１９により、操作部３に入力されたユーザＩＤ及びパスワードと、ＲＯＭ３０に格納されているユーザＩＤ及びパスワードとを照合することにより行うようにしてもよい。中断解除指令検出部２７は、解除指令を検出すると、ジョブ実行部１７に指令を送り、ジョブデータ一時保存部１８に保持されている次の分割ジョブの印刷出力を実行する。なお、中断解除指令検出部２７は、印刷出力が中断された後所定の時間が経過したことを検知して、解除指令を検出したことにしてもよい。
【００５１】
出力印刷順変更部２８は、同じ配布先に配布される印刷対象物の印刷出力が同じ分割ジョブで印刷出力されるように、印刷ジョブの印刷出力の順番を入れ替える。例えば、同一の印刷対象物が同じ配布先のデータに複数含まれている場合や、
異なる印刷対象物が同じ配布先のデータに含まれている場合に、印刷ジョブの印刷出力の順番を入れ替える。
【００５２】
出力印刷部数変更部２９は、出力印刷部数決定部で決定された分割ジョブで印刷出力する印刷部数を変更する。例えば、同一の印刷対象物が同じ配布先のデータに複数含まれている場合や異なる印刷対象物が同じ配布先のデータに含まれている場合に、同じ配布先に配布される印刷対象物が同じ分割ジョブ内で印刷出力されるように、分割ジョブで印刷出力する印刷部数を変更する。
【００５３】
次に、画像形成システム１の印刷出力の処理例について、図４を用いて説明する。
図４は、画像形成システム１の処理例を示すフローチャートである。
【００５４】
図４に示すように、ジョブ取得部１６は、印刷ジョブデータを取得する（Ｓ１）。印刷ジョブデータには、配布モードデータ、総印刷部数データ、印刷対象物データ、印刷上限値データ、配布先データ、配布者データ等の情報が含まれている。
【００５５】
次に、配布モード判別部２０は、ステップＳ１で取得した印刷ジョブデータに基づいて、印刷ジョブの配布モードの種別を判別する（Ｓ２）。配布モードが分割モードの場合は、印刷ジョブのデータをジョブデータ一時保存部１８に保存して、ステップＳ３に進む（Ｓ２のＹｅｓ）。配布モードが通常モードの場合は、ステップＳ９に進む（Ｓ２のＮｏ）。
【００５６】
次に、ステップＳ２において、配布モードが分割モードと判別された場合には、分割数決定部２１により印刷ジョブの分割ジョブ数（分割数）が決定され、出力印刷部数決定部２４により分割ジョブで出力印刷される印刷部数が決定される（Ｓ３）。
【００５７】
ステップＳ２において、配布モードが通常モードと判断された場合には、ジョブ実行部１７は、印刷設定部で設定された総印刷部数を残数分として画像形成部１０で画像形成し、印刷を実行する（Ｓ９）。
【００５８】
次に、ステップＳ３で、出力印刷部数決定部２４により分割ジョブの印刷部数（印刷上限値）が決定されると、印刷部数比較部２５は、ジョブデータ一時保存部１８で保存されている総印刷部数データと印刷上限値データとを比較する（Ｓ４）。比較を行った結果、総印刷部数の方が印刷上限値よりも大きい場合にはステップＳ５へ進み（Ｓ４のＹｅｓ）、印刷上限値の方が総印刷部数よりも大きい場合にはステップＳ９へ進む（Ｓ４のＮｏ）。
【００５９】
次に、ステップＳ４において総印刷部数が印刷上限値よりも大きいと判断された場合には、ジョブ実行部１７は、出力印刷部数決定部２４で決定された印刷部数分を画像形成部１０で画像形成して、印刷を実行する（Ｓ５）。
【００６０】
ステップＳ４において、印刷上限値の方が総印刷部数よりも大きいと判断された場合には、ジョブ実行部１７は、ジョブデータ一時保存部１８で保存されている総印刷部数を残数として画像形成部１０で画像形成して、印刷を実行する（Ｓ９）。
【００６１】
次に、ステップＳ５において出力印刷部数決定部２４で決定された印刷部数分を印刷した場合には、総印刷部数減算処理部２６は、ジョブデータ一時保存部１８に保存された総印刷部数データから印刷した印刷部数分を減算して、総印刷部数データを新たな総印刷部数データに書き替える（Ｓ６）。
【００６２】
次に、ステップＳ６でジョブデータ一時保存部１８に保存された総印刷部数データの減算処理を行った後、ジョブ実行部１７は、画像形成部１０における画像形成を停止し、印刷出力の実行を中断する（Ｓ７）。
【００６３】
次に、ステップＳ７において印刷の実行を中断した後、中断解除指令検出部２７により、印刷の中断を解除する指令（印刷再開指示）があるか否かを検出する（Ｓ８）。配布者等からの印刷の中断を解除する指令を検出した場合はステップＳ４へ戻り（Ｓ８のＹｅｓ）、印刷中断を解除する指令を検出しない場合は、引き続き印刷中断を解除する指令の検出を続行する（Ｓ８のＮｏ）。
【００６４】
＜第１の処理例＞
次に、図５を用いて、本例の画像形成システム１による印刷出力の第１の処理例について説明する。
図５は、配布モードが通常モードに設定されている場合の印刷物の配布作業を説明するための概念図である。
【００６５】
本例の印刷ジョブの配布モードは、通常モードに設定されている。
例えば、第三者に見られても支障のない機密性が少ない内容の印刷物を配布するような場合は、配布モードが通常モードに設定される。また、配布者の印刷物の配布能力が高い場合には、配布モードが通常モードに設定される。ここで配布能力が高いとは、例えば、１回の配布作業で全ての印刷物を配布することができるような場合が該当する。
本例の印刷ジョブのその他の設定内容は、総印刷部数データが「１００」部，印刷対象物データが「同一」となっている。
【００６６】
本例の印刷出力処理について、図４のフロー図に基づいて説明する。本例では、配布モード判別部２０が印刷ジョブの配布モードが通常モードであると判別し（Ｓ２）、ジョブ実行部１７が、画像形成部１０で総印刷部数である１００部を画像形成し、印刷出力を実行する（Ｓ９）。
【００６７】
印刷された１００部の印刷物は、排紙トレイ１４上に排出される。配布者は、１回の配布作業で持ち運べる印刷物の量を自己判断し、排紙トレイ１４から印刷物を持ち出し、各配布先へ印刷物を配布する。１回目の配布作業が終了すると、配布者は再び排紙トレイ１４から持ち運べる印刷物を持ち出し、２回目の配布作業を行う。配布者は、排紙トレイ１４上の印刷物が無くなるまで、同様の配布作業を繰り返す。
【００６８】
本例によれば、印刷対象物の印刷出力を連続して行うので、配布者は印刷物が出力されるのを待つ必要がなくなり、印刷物の配布作業時間を短縮することができる。
【００６９】
＜第２の処理例＞
次に、図６を用いて、本例の画像形成システム１による印刷出力の第２の処理例について説明する。
図６は、配布モードが分割モードに設定されている場合の印刷物の配布作業を説明するための概念図である。
【００７０】
本例の印刷ジョブの配布モードは、分割モードに設定されている。例えば、第三者に見られたくない機密性が高い印刷物を配布するような場合は、印刷ジョブの配布モードが分割モードに設定される。
その他の印刷ジョブの設定内容は、総印刷部数データが「１０」部，印刷対象物データが「同一」、印刷上限値が「３」部、配布先データが「１０」配布先（Ａ〜J）となっている。
【００７１】
印刷上限値設定部により設定される印刷上限値は、配布先の数、印刷物の重量、配布者の能力等に基づいて、適宜設定される。なお、印刷上限値は１以上になるように設定される。また、印刷上限値は、ＲＯＭ３０に格納された例えば配布者の性別や印刷物の重量に基づいて予め印刷上限値が設定されているテーブルに基づいて自動的に設定してもよい。また、印刷上限値は、印刷ジョブの実行中に変更できるようにしてもよい。
【００７２】
本例の印刷出力処理について、図４のフロー図に基づいて説明する。本例では、配布モード判別部２０が印刷ジョブの配布モードが分割モードであると判別し（Ｓ２）、分割数決定部２１により印刷ジョブの分割数が「４」に決定される（Ｓ３）。具体的には、本例では、総印刷部数データが「１０」であり、印刷上限値データが「３」であるので、分割数決定部２１は、１０÷３＝３（商）・・・１（余り）との計算を行い、分割数を３＋１＝４に決定する。
【００７３】
次に、印刷部数比較部２５により、総印刷部数と印刷上限値との比較が行われる（Ｓ４）。本例では、総印刷部数「１０」の方が印刷上限値「３」よりも大きいので、印刷上限値分の印刷出力が実行され、排紙トレイ１４上に分割ジョブ１分（３部）の印刷物が排出される（Ｓ５）。
【００７４】
次に、総印刷部数減算処理部２６により、ジョブデータ一時保存部１８に保存されている総印刷部数データ「１０」から「３」が減算されて新しい総印刷部数データ「７」に書き替えられる（Ｓ６）。総印刷部数データが書き替えられた後、分割ジョブ１の印刷が中断される（Ｓ７）。
【００７５】
配布者は、排紙トレイ１４に排出された３部の印刷物を持ち出し、配布先Ａ，Ｂ，Ｃへ順次印刷物を配布して、１回目の配布作業を行う。
【００７６】
１回目の配布作業を終えた配布者は、画像形成装置５０の操作部３にパスワードを入力することにより、印刷中断を解除する指令を通知する。なお、画像形成装置４０にＩＣカードリーダを設け、配布者が所持するＩＣカードを読み取った際に、配布者から印刷中断の解除指令を受け取ったことにしてもよい。
【００７７】
配布者から印刷中断の解除指令を受け取ると、印刷部数比較部２５により、総印刷部数と印刷上限値との比較が行われる（Ｓ４）。ここでは、総印刷部数「７」の方が印刷上限値「３」よりも大きいので、印刷上限値分の印刷出力が実行され、排紙トレイ１４上に分割ジョブ２分（３部）の印刷物が排出される（Ｓ５）。
【００７８】
次に、ジョブデータ一時保存部１８に保存されている総印刷部数データ「７」が新しい総印刷部数データ「４」に書き替えられた後（Ｓ６）、分割ジョブ２の印刷が中断される（Ｓ７）。
【００７９】
配布者は、排紙トレイ１４に排出された３部の印刷物を持ち出し、配布先Ｄ，Ｅ，Ｆへ順次印刷物を配布して、２回目の配布作業を行う。
【００８０】
２回目の配布作業を終えた配布者から印刷中断を解除する指令を受け取ると、印刷部数比較部２５により、総印刷部数と印刷上限値との比較が行われる（Ｓ４）。ここでは、総印刷部数「４」の方が印刷上限値「３」よりも大きいので、印刷上限値分の印刷出力が実行され、排紙トレイ１４上に分割ジョブ３分（３部）の印刷物が排出される（Ｓ５）。
【００８１】
次に、ジョブデータ一時保存部１８に保存されている総印刷部数データ「４」が新しい総印刷部数データ「１」に書き替えられた後（Ｓ６）、分割ジョブ３の印刷が中断される（Ｓ７）。
【００８２】
配布者は、排紙トレイ１４に排出された３部の印刷物を持ち出し、配布先Ｇ，Ｈ，Ｉへ順次印刷物を配布して、３回目の配布作業を行う。
【００８３】
３回目の配布作業を終えた配布者から印刷中断の解除指令を受け取ると、総印刷部数「１」と印刷上限値「３」との比較が行われるが（Ｓ４）、ここでは印刷上限値の方が総印刷部数よりも大きくなるので、残数として総印刷部数の印刷出力が実行され、排紙トレイ１４上に最後の分割ジョブ４分（１部）の印刷物が排出される（Ｓ９）。
【００８４】
配布者は、排紙トレイ１４に排出された１部の印刷物を持ち出し、配布先Jへ印刷物を配布して、４回目の配布作業を行い、全ての配布作業を終了する。
【００８５】
本例によれば、配布者が配布作業を行っている間は、印刷ジョブの印刷出力が中断されるため排紙トレイ１４上に印刷物のない状態を保つことができ、第三者に配布前の印刷物を見られてしまうことを防ぐことによりセキュリティ上の安全を確保することができる。
【００８６】
上述したように、本例の画像形成システム１によれば、印刷物の内容に応じて、印刷ジョブの配布モードを切り換えることにより、印刷物の機密性が低い場合や配布者の配布能力が高いには、印刷出力を連続させて、印刷物の配布作業時間を短縮し、印刷物の機密性が高い場合には、印刷出力を分割して、第三者に配布前の印刷物を見せないようにすることができる。
【００８７】
＜第３の処理例＞
次に、図７Ａ及び図７Ｂを用いて、本例の画像形成システム１による印刷出力の第３の処理例について説明する。
図７は、配布モードが分割モードに設定されている場合の印刷物の配布作業を説明するための概念図である。
【００８８】
図７に示す本例は、同じ内容の印刷物を１７の配布先に１部ずつ配布する場合である。
図７Ａに示すように、本例の印刷ジョブの配布モードは、分割モードに設定されている。その他の印刷ジョブの設定内容は、総印刷部数データが「１７」部，印刷対象物データが「同一」、印刷上限値が「５」部に指定されている。
【００８９】
本例の印刷出力処理について、図４のフロー図に基づいて説明する。本例では、配布モード判別部２０が印刷ジョブの配布モードを分割モードと判別し（Ｓ２）、分割数決定部２１により印刷ジョブの分割数が「４」に決定される（Ｓ３）。具体的には、本例では、総印刷部数データが１７であり、印刷上限値が５であるので、分割数決定部２１は、１７÷５＝３（商）・・・２（余り）との計算を行い、分割数を３＋１＝４に決定する。
【００９０】
次に、印刷部数比較部２５により、総印刷部数と印刷上限値との比較が行われる（Ｓ４）。本例では、総印刷部数「１７」の方が印刷上限値「５」よりも大きいので、印刷上限値分の印刷出力が実行され、排紙トレイ１４上に分割ジョブ１分（５部）の印刷物が排出される（Ｓ５）。
【００９１】
次に、総印刷部数減算処理部２６により、ジョブデータ一時保存部１８に保存されている総印刷部数データ「１７」から「５」が減算されて新しい総印刷部数データ「１２」に書き替えられる（Ｓ６）。総印刷部数データが書き替えられた後、分割ジョブ１の印刷が中断される（Ｓ７）。
【００９２】
配布者は、排紙トレイ１４に排出された５部の印刷物を持ち出して、配布先に順次印刷物を配布して、１回目の配布作業を行う。
【００９３】
このように、図７Ａに示す本例では、各分割ジョブで５部ずつ印刷出力を行い、１回目〜３回目の配布作業において５部ずつ印刷物を配布する。また、最後の分割ジョブにおいて残数（２部）を印刷出力し、４回目の配布作業において２部の印刷物を配布する。
【００９４】
これに対して、図７Ｂに示す例では、印刷上限値と分割数決定部２１で算出された余りとの差分を求め、この差分と分割数決定部２１で算出された商の値から求められた分割数との比較を行う。この差分が分割数と同じ若しくは大きくなる場合には、出力印刷部数変更部２９により、各分割ジョブで印刷出力する印刷部数について印刷上限値から「１」を減算する処理を行い、分割ジョブで印刷出力する印刷部数を変更する。
【００９５】
具体的には、本例では、印刷上限値「５」と分割数決定部２１で算出された余り「２」との差分「３」を算出し、この算出された差分「３」が分割数決定部２１で算出された商の値から求められた分割数「３」と同じになる。従って、出力印刷部数変更部２９により、印刷上限値「５」から「１」を減算し、各分割ジョブで印刷出力する印刷部数を「４」に変更する。
【００９６】
図７Ｂの例では、各分割ジョブで４部ずつの出力印刷を行い、１回目〜３回目の配布作業において４部ずつ印刷物を配布する。そして、最後の分割ジョブにおいて残数（５部）を印刷出力し、４回目の配布作業において５部の印刷物を配布する。
【００９７】
すなわち、図７Ａの例では、１〜３回目までの各配布作業では、印刷上限値と同数の５部の印刷物を配布し、４回目の配布作業で２部の印刷物を配布する作業を行う。これに対して、図７Ｂの例では、１〜３回目までの各配布作業では、印刷上限値よりも少ない４部の印刷物を配布し、４回目の配布作業で印刷上限値と同数の５部の印刷物を配布する作業を行う。すなわち、印刷上限値の印刷物を配布する作業回数を３回から１回に減らすことができる。従って、図７Ｂの例によれば、分割した複数回の配布作業において、印刷上限値と同数の印刷物を配布する配布作業の回数を減らすことができ、１回の配布作業で持ち運ぶ印刷物の総重量を相対的に減らして配布作業の負担を減らすことができる。
【００９８】
＜第４の処理例＞
次に、図８を用いて、本例の画像形成システム１による印刷出力の第４の処理例について説明する。
図８は、同じ内容の印刷物を同一の配布先に複数配る場合の配布作業を説明するための概念図である。
【００９９】
本例の印刷ジョブの配布モードは、分割モードに設定されている。その他の印刷ジョブの設定内容は、総印刷部数データが「１３」部，印刷対象物データが「同一」、印刷上限値が「３」部、配布先データが「１０」配布先となっている。
【０１００】
印刷ジョブデータの内容は、配布先Ａ，Ｂ，Ｄ，Ｆ，Ｇ，Ｉ，Ｊ，Ｋ，Ｍ，Ｎに１部、さらに配布先Ａ，Ｆ、Ｉに１部を追加するものであり、すなわち、配布先Ａ、Ｆ、Ｉには、同じ内容の印刷物を２部配布する。
【０１０１】
本例の印刷出力処理について、図４のフロー図に基づいて説明する。本例では、配布モード判別部２０が印刷ジョブの配布モードを分割モードと判別し（Ｓ２）、分割数決定部２１により印刷ジョブの分割数が「５」に決定される（Ｓ３）。具体的には、本例では、総印刷部数データが１３であり、印刷上限値データが３であるので、分割数決定部２１は、１３÷３＝４（商）・・・１（余り）との計算を行い、分割数を４＋１＝５に決定する。
【０１０２】
次に、印刷部数比較部２５により、総印刷部数と印刷上限値との比較が行われる（Ｓ４）。本例では、総印刷部数「１３」の方が印刷上限値「３」よりも大きいので、印刷上限値分の印刷出力が実行され、排紙トレイ１４上に分割ジョブ１分の印刷物が排出される（Ｓ５）。
【０１０３】
次に、総印刷部数減算処理部２６により、ジョブデータ一時保存部１８に保存されている総印刷部数データ「１３」が新しい総印刷部数データ「１０」に書き替えられる（Ｓ６）。総印刷部数データが書き替えられた後、ジョブの印刷が中断される（Ｓ７）。
【０１０４】
配布者は、排紙トレイ１４に排出された３部の印刷物を持ち出し、配布先Ａ，Ｂ，Ｄへ順次印刷物を配布して、１回目の配布作業を行う。
【０１０５】
１回目の配布作業を終えた配布者は、印刷中断を解除する指令を通知し、以後、４回目の配布作業まで同様の印刷出力処理が行われる。
【０１０６】
４回目の配布作業において、配布者は、排紙トレイ１４から３部の印刷物を持ち出し、配布先Ｎ，Ａ，Ｆへ順次印刷物を配布するが、配布先ＡとＦについては２度目の印刷物の配布となる。
【０１０７】
４回目の配布作業を終えた配布者から印刷中断の解除指令を受け取ると、総印刷部数「１」と印刷上限値「３」との比較が行われ（Ｓ４）、残数として総印刷部数の印刷出力が実行され、排紙トレイ１４上に最後の分割ジョブ５分の印刷物が排出される（Ｓ９）。
【０１０８】
配布者は、排紙トレイ１４に排出された１部の印刷物を持ち出し、配布先Ｉへ２度目の印刷物の配布を行い、全ての配布作業を終了する。
【０１０９】
本例によれば、配布者は、同じ内容の印刷物を同一の配布先に複数配る場合において、配布作業中は１つの配布先に１部の印刷物を配布するだけでよいので、配布作業が単純になり配布作業の効率を上げることができる。
【０１１０】
＜第５の処理例＞
次に、図９を用いて、本例の画像形成システム１による印刷出力の第５の処理例について説明する。
図９は、同じ内容の印刷物を同一の配布先に複数配る場合の配布作業を説明するための概念図である。
【０１１１】
本例の印刷ジョブの配布モードは、分割モードに設定されている。その他の印刷ジョブの設定内容は、総印刷部数データが「１３」部，印刷対象物データは「同一」、印刷上限値が「４」部、配布先データが「１０」配布先となっている。
【０１１２】
印刷ジョブデータの内容は、配布先Ａ，Ｂ，Ｄ，Ｆ，Ｇ，Ｉ，Ｊ，Ｋ，Ｍ，Ｎに１部、配布先Ｂ，Ｆ、Ｎに１部を追加するものになっており、すなわち、配布先Ｂ、Ｆ、Ｎには、同じ内容の印刷物を２部配布する。
【０１１３】
本例の印刷出力処理について、図４のフロー図に基づいて説明する。本例では、配布モード判別部２０が印刷ジョブの配布モードを分割モードと判別し（Ｓ２）、分割数決定部２１により印刷ジョブの分割数が「４」に決定される（Ｓ３）。具体的には、本例では、総印刷部数データが１３であり、印刷上限値データが４であるので、分割数決定部２１は、１３÷４＝３（商）・・・１（余り）との計算を行い、分割数を３＋１＝４に決定する。
【０１１４】
本例では、出力印刷順変更部２８により、同一の配布先（Ｂ，Ｆ，Ｎ）に設定されている印刷ジョブの印刷出力を同じ分割ジョブ内で行うように、印刷ジョブの印刷出力の順番を入れ替える。本例では、配布先Ｂ、配布先Ｆ、配布先Ｎの印刷対象物を１組とし、配布先Ｂの印刷ジョブが分割ジョブ１で印刷出力され、配布先Ｆの印刷ジョブが分割ジョブ２で印刷出力され、配布先Ｎの印刷ジョブが分割ジョブ４で印刷出力されるように、印刷ジョブの順番を入れ替える。このように、本例では、出力印刷順変更部２８により、印刷物の配布先ごとに印刷ジョブの印刷出力順を設定する。
【０１１５】
次に、印刷部数比較部２５により、総印刷部数と印刷上限値との比較が行われる（Ｓ４）。総印刷部数「１３」の方が印刷上限値「４」よりも大きいので、印刷上限値分の印刷出力が実行され、排紙トレイ１４上に印刷出力の順番が入れ替えられた配布先Ｂについての２部を含めた分割ジョブ１分（４部）の印刷物が排出される（Ｓ５）。このとき、排出トレイ１４には、配布先Ａの印刷物が１部、配布先Ｂの印刷物が２部、配布先Ｄの印刷物が１部排出される。
【０１１６】
次に、総印刷部数減算処理部２６により、ジョブデータ一時保存部１８に保存されている総印刷部数データ「１３」が新しい総印刷部数データ「９」に書き替えられる（Ｓ６）。総印刷部数データが書き替えられた後、分割ジョブの印刷が中断される（Ｓ７）。
【０１１７】
配布者は、排紙トレイ１４に排出された４部の印刷物を持ち出し、配布先Ａ，Ｂ，Ｄへ順次印刷物を配布して、１回目の配布作業を行う。なお、配布先Ｂには、２部の印刷物が配布される。
【０１１８】
１回目の配布作業を終えた配布者から印刷中断の解除指令を受け取ると、印刷部数比較部２５により、総印刷部数と印刷上限値との比較が行われ（Ｓ４）、印刷上限値分の印刷出力が実行され、排紙トレイ１４上に印刷出力の順番が入れ替えられた配布先Ｆについての２部を含めた分割ジョブ２分（４部）の印刷物が排出される（Ｓ５）。
【０１１９】
次に、ジョブデータ一時保存部１８に保存されている総印刷部数データ「９」が新しい総印刷部数データ「５」に書き替えられた後（Ｓ６）、印刷ジョブの印刷が中断される（Ｓ７）。
【０１２０】
配布者は、排紙トレイ１４から４部の印刷物を持ち出し、配布先Ｆ、Ｇ，Ｉへ順次印刷物を配布して、２回目の配布作業を行う。このとき、配布先Ｆには、２部の印刷物が配布される。
【０１２１】
次に、印刷部数比較部２５により、総印刷部数と印刷上限値との比較が行われる（Ｓ４）。ここでは、総印刷部数「５」の方が印刷上限値「４」よりも大きいため、本来であれば、分割ジョブ３においては、印刷上限値分の印刷部数分（４部）の印刷出力が実行されることになる。しかし、配布先Ｎの印刷物を１部加えて印刷すると、配布先Ｎに配られる印刷物を別々の配布作業で配布することになる。このため、本例では、分割ジョブ３で印刷出力する印刷部数を、出力印刷部数変更部２９により４部から３部へ変更して、印刷出力が実行される。排出トレイ１４には、配布先Ｊ、Ｋ、Ｍの印刷物が１部ずつ排出される（Ｓ５）。
【０１２２】
次に、総印刷部数減算処理部２６により、ジョブデータ一時保存部１８に保存されている総印刷部数データ「５」から「３」を減算して新しい総印刷部数データ「２」に書き替えられる（Ｓ６）。総印刷部数データが書き替えられた後、印刷ジョブの実行が中断される（Ｓ７）。
【０１２３】
配布者は、排紙トレイ１４に排出された３部の印刷物を持ち出し、配布先Ｊ，Ｋ，Ｍへ順次印刷物を配布して、３回目の配布作業を行う。
【０１２４】
３回目の配布作業を終えた配布者から印刷中断の解除指令を受け取ると、総印刷部数「２」と印刷上限値「４」との比較が行われ（Ｓ４）、残数として配布先Ｎ（２部）に配布する印刷物の印刷出力が実行され、排紙トレイ１４上に分割ジョブ４分（２部）の印刷物が排出される（Ｓ９）。
【０１２５】
配布者は、排紙トレイ１４に排出された２部の印刷物を持ち出し、配布先Ｎへ印刷物の配布を行い、全ての配布作業を終了する。このとき、配布先Ｎには、２部の印刷物が配布される。
【０１２６】
本例によれば、同一の配布先へ同一内容の印刷物を複数配布する場合において、同一の配布先へ配布される印刷物を同一の分割ジョブで印刷出力する。これにより、同一の配布先へ配布される複数の同一印刷物を同じ配布作業で配布することができるので、配布作業の効率を上げることができる。
【０１２７】
＜第６の処理例＞
次に、図１０を用いて、本例の画像形成システム１による印刷出力の第６の処理例について説明する。
図１０は、異なる内容の印刷物を同一の配布先に配る場合の配布作業を説明するための概念図である。
【０１２８】
本例の印刷ジョブの配布モードは、分割モードに設定されている。その他の印刷ジョブの設定内容は、印刷対象物データが「１、２、３、４」の４種類、総印刷部数データが「１３」部、印刷上限値が「４」部、配布先データが「１０」配布先となっている。
【０１２９】
本例では、印刷設定部である端末装置６０により、複数種類の印刷対象物が選択されており、本例の印刷ジョブデータの内容は、印刷対象物１は配布先Ａ，Ｂ，Ｄ，Ｆ，Ｇ，Ｉ，Ｊ，Ｋ，Ｍ，Ｎに１部を配布、印刷対象物２は配布先Ｂに１部，印刷対象物３は配布先Ｆに１部、印刷対象物４は配布先Ｎに１部を追加配布するものになっている。すなわち、配布先Ｂ，Ｆ、Ｎには、異なる内容の印刷物が配布される。
【０１３０】
本例では、出力印刷順変更部２８により、同一の配布先（Ｂ，Ｆ，Ｎ）に設定されている印刷ジョブの印刷出力を同じ分割ジョブ内で行うように、印刷ジョブの印刷出力の順番を入れ替える。本例では、配布先Ｂ、配布先Ｆ、配布先Ｎの印刷対象物を１組とし、配布先Ｂの印刷ジョブが分割ジョブ１で印刷出力され、配布先Ｆの印刷ジョブが分割ジョブ２で印刷出力され、配布先Ｎの印刷ジョブが分割ジョブ４で印刷出力されるように、印刷ジョブの順番を入れ替える。具体的には、印刷ジョブの印刷出力の順番が、印刷対象物１、印刷対象物１、印刷対象物２、印刷対象物１、印刷対象物１、印刷対象物３、印刷対象物１、印刷対象物１、印刷対象物１、印刷対象物１、印刷対象物１、印刷対象物１、印刷対象物４の順番に入れ替えられる。
【０１３１】
本例の印刷出力処理について、図４のフロー図に基づいて説明する。本例では、配布モード判別部２０が印刷ジョブの配布モードを分割モードと判別し（Ｓ２）、分割数決定部２１により印刷ジョブの分割数が「４」に決定される（Ｓ３）。具体的には、本例では、総印刷部数データが１３であり、印刷上限値データが４であるので、分割数決定部２１は、１３÷４＝３（商）・・・１（余り）との計算を行い、分割数を３＋１＝４に決定する。
【０１３２】
次に、印刷部数比較部２５により、総印刷部数と印刷上限値との比較が行われる（Ｓ４）。本例では、総印刷部数「１３」の方が印刷上限値「４」よりも大きいので、出力印刷順変更部により配列された順番に従って印刷出力が実行される。排紙トレイ１４上に１の分割ジョブ１分（４部）の印刷物（印刷対象物１、印刷対象物１、印刷対象物２、印刷対象物１）が排出される（Ｓ５）。排出トレイ１４には、配布先Ａの印刷物が１部、配布先Ｂの印刷物が２部、配布先Ｄの印刷物が１部排出される。なお、ここでは配布先Ｂへの印刷部数は２部であり、印刷上限部数の４よりも小さいため、同じ分割ジョブ内で配布先Ｂの印刷物と他の配布先の印刷物が同時に印刷出力される。
【０１３３】
次に、総印刷部数減算処理部２６により、ジョブデータ一時保存部１８に保存されている総印刷部数データ「１３」が新しい総印刷部数データ「９」に書き替えられる（Ｓ６）。総印刷部数データが書き替えられた後、分割ジョブの印刷が中断される（Ｓ７）。
【０１３４】
配布者は、排紙トレイ１４上に排出された４部の印刷物を持ち出し、配布先Ａ（印刷対象物１），Ｂ（印刷対象物１及び印刷対象物２），Ｄ（印刷対象物１）へ順次印刷物を配布し、１回目の配布作業を行う。
【０１３５】
１回目の配布作業を終えた配布者は、印刷出力の中断を解除する指令を通知し、以後、４回目の配布作業まで同様の印刷出力処理が行われる。
【０１３６】
２回目の印刷処理の実行により、排紙トレイ１４上に分割ジョブ２分の４部の印刷物（印刷対象物１、印刷対象物３、印刷対象物１、印刷対象物１）が排出され（Ｓ５）、ジョブデータ一時保存部１８に保存されている総印刷部数データ「９」が新しい総印刷部数データ「５」に書き替えられる（Ｓ６）。総印刷部数データが書き替えられた後、ジョブの印刷が中断される（Ｓ７）。
【０１３７】
配布者は、排紙トレイ１４上に排出された４部の印刷物を持ち出し、配布先Ｆ（印刷対象物１及び印刷対象物３），Ｇ（印刷対象物１），Ｉ（印刷対象物１）へ順次印刷物を配布して、２回目の配布作業を行う。
【０１３８】
次に、印刷部数比較部２５により、総印刷部数と印刷上限値との比較が行われる（Ｓ４）。ここでは、総印刷部数「５」の方が印刷上限値「４」よりも大きいため、本来であれば、分割ジョブ３においては、印刷上限値分の印刷部数分（４部）の印刷出力が実行されることになる。しかし、配布先Ｎの印刷物を１部加えて印刷すると、配布先Ｎに配られる印刷物を別々の配布作業で配布することになる。このため、本例では、出力印刷部数変更部２９により、分割ジョブ３で印刷出力する印刷部数を４部から３部へ変更して、印刷出力が実行される。排出トレイ１４には、配布先Ｊ、Ｋ、Ｍの印刷物が１部ずつ排出される（Ｓ５）。
【０１３９】
この場合は、総印刷部数減算処理部２６により、ジョブデータ一時保存部１８に保存されている総印刷部数データ「５」は、実際に印刷出力した３部を減算して新しい総印刷部数データ「２」に書き替えられる（Ｓ６）。
【０１４０】
配布者は、排紙トレイ１４に排出された３部の印刷物を持ち出し、配布先Ｊ（印刷対象物１），Ｋ（印刷対象物１），Ｍ（印刷対象物１）へ順次印刷物を配布して、３回目の配布作業を行う。
【０１４１】
３回目の配布作業を終えた配布者から印刷中断の解除指令を受け取ると、ステップＳ４において、総印刷部数「２」と印刷上限値「４」との比較が行われ、配布先Ｎ分の印刷出力が実行され（Ｓ９）、配布者は、排紙トレイ１４に排出された２部の印刷物を持ち出し、配布先Ｎ（印刷対象物１及び印刷対象物４）へ配布して、配布作業を終了する。
【０１４２】
本例によれば、同一の配布先へ異なる印刷物を配布する場合において、同一の配布先へ配布される異なる印刷物を同一の分割ジョブで印刷出力する。これにより、同一の配布先へ配布される異なる印刷物を同じ配布作業で配布することができるので、配布作業の効率を上げることができる。
【０１４３】
＜第７の処理例＞
次に、図１１を用いて、本例の画像形成システム１による印刷出力の第７の処理例について説明する。
図１１は、異なる内容の印刷物を同一の配布先に同数配る場合の配布作業を説明するための概念図である。
【０１４４】
本例の印刷ジョブの配布モードは、分割モードに設定されている。その他の印刷ジョブの設定内容は、印刷対象物データが「１」について、総印刷部数データが「１０」部、印刷上限値が「３」部、配布先データが「１０」配布先となっており、印刷対象物データ「２」について、総印刷部数データが「１０」部、印刷上限値が「３」部、配布先データが「１０」配布先となっている。
【０１４５】
本例では、印刷対象物１及び印刷対象物２の組み合わせを１組として１部の印刷部数とカウントし、配布先Ａ，Ｂ，Ｄ，Ｆ，Ｇ，Ｉ，Ｊ，Ｋ，Ｍ，Ｎに１部ずつ配布する。具体的には、出力印刷順変更部２９により、印刷ジョブの印刷出力の順番が、印刷対象物１、印刷対象物２、印刷対象物１、印刷対象物２、印刷対象物１、印刷対象物２、印刷対象物１、印刷対象物２、印刷対象物１、印刷対象物２、印刷対象物１、印刷対象物２、印刷対象物１、印刷対象物２、印刷対象物１、印刷対象物２、印刷対象物１、印刷対象物２、印刷対象物１、印刷対象物２の順番に入れ替えられる。
【０１４６】
本例の印刷出力処理について、図４のフロー図に基づいて説明する。本例では、配布モード判別部２０が印刷ジョブの配布モードを分割モードと判別し（Ｓ２）、分割数決定部２１により印刷ジョブの分割数が「４」に決定される（Ｓ３）。具体的には、本例では、総印刷部数データが１０であり、印刷上限値が「３」であるので、分割数決定部２１は、１０÷３＝３（商）・・・１（余り）との計算を行い、分割数を３＋１＝４に決定する。
【０１４７】
次に、印刷部数比較部２５により、総印刷部数と印刷上限値との比較が行われる（Ｓ４）。本例では、総印刷部数「１０」の方が印刷上限値「３」よりも大きいので、出力印刷順変更部２９により配列された印刷出力順に印刷出力が実行され、排紙トレイ１４上に分割ジョブ１分の印刷物（印刷対象物１、印刷対象物２、印刷対象物１、印刷対象物２、印刷対象物１、印刷対象物２）が排出される（Ｓ５）。
【０１４８】
次に、総印刷部数減算処理部２６により、ジョブデータ一時保存部１８に保存されている総印刷部数データ「１０」が新しい総印刷部数データ「７」に書き替えられる（Ｓ６）。総印刷部数データが書き替えられた後、分割ジョブの印刷実行が中断される（Ｓ７）。
【０１４９】
配布者は、排紙トレイ１４に排出された３組の印刷物を持ち出し、３箇所の配布先へ順次配布して、１回目の配布作業を行う。
【０１５０】
１回目の配布作業を終えた配布者は、印刷出力の中断を解除する指令を通知し、以後、３回目の配布作業まで同様の印刷出力処理が行われる。
【０１５１】
３回目の配布作業を終えた配布者から印刷中断の解除指令を受け取ると、ステップＳ４において、総印刷部数「１」と印刷上限値「３」との比較が行われ、排紙トレイ１４上に分割ジョブ４分の印刷物（印刷対象物１及び印刷対象物２）が排出される（Ｓ９）。配布者は、排紙トレイ１４から１組の印刷物を持ち出し同一の配布先へ配布して、全ての配布作業を終了する。
【０１５２】
本例によれば、異なる内容の印刷物を同一の配布先に同数配る場合において、同一の配布先へ配布される異なる印刷物を同一の分割ジョブで印刷出力する。これにより、同一の配布先へ配布される異なる印刷物を同じ配布作業で配布することができるので、配布作業の効率を上げることができる。
【０１５３】
なお、上述した各処理例の中で、分割ジョブの印刷実行を中断している間は、他のユーザが画像形成装置５０を使用することを禁止してもよい。また、これとは反対に、分割ジョブの印刷実行を中断している間に、他のユーザが画像形成装置５０を使用できるようにしてもよい。
【０１５４】
なお、本発明は上述しかつ図面に示した実施の形態に限定されるものではなく、特許請求の範囲に記載した発明の要旨を逸脱しない範囲内で種々の変形実施が可能である。例えば、画像形成装置５０は、デジタル複合機（ＭＦＰ）ではなく、プリンタであってもよい。また、画像形成システム１は、認証サーバやデータサーバ等のサーバを備えていてもよい。
【符号の説明】
【０１５５】
１…画像形成システム、  ３…操作部、  １０…画像形成部、  １４…排紙トレイ、  １５…制御部、  １６…ジョブ取得部、１７…ジョブ実行部、  １８…ジョブデータ一時保存部、  １９…ログイン処理部、  ２０…配布モード判別部、  ２１…分割数決定部、  ２４…出力印刷部数変更部、  ２５…印刷部数比較部、  ２６…総印刷部数減算処理部、  ２７…中断解除指令検出部、  ２８…出力印刷順変更部、  ２９…出力印刷部数変更部、  ５０…画像形成装置、  ６０…端末装置
【図１】
2018039236.tif 000003
【図２】
2018039236.tif 000004
【図３】
2018039236.tif 000005
【図４】
2018039236.tif 000006
【図５】
2018039236.tif 000007
【図６】
2018039236.tif 000008
【図７】
2018039236.tif 000009
【図８】
2018039236.tif 000010
【図９】
2018039236.tif 000011
【図１０】
2018039236.tif 000012
【図１１】
2018039236.tif 000013